(57)【要約】提供されるものは、サブスクリプション情報を更新するための方法および装置である。本方法は、下記に説明されるステップを含む。第２のＮＦが、第１のサブスクリプション情報を第３のＮＦに転送した後、第１のサブスクリプション情報が、第２のＮＦによって第１のＮＦに割り当てられる、第１の相関識別を含む場合、第３のＮＦは、第２の相関識別を第１のＮＦに割り当て、第３のＮＦは、第１のＮＦの更新サブスクリプション情報を受信し、更新サブスクリプション情報は、第２の相関識別を含む。上記のスキームを使用することによって、関連技術における、新しいシステムに適合可能なサブスクリプション情報の更新スキームの欠如の課題が、解決され、新しいシステムに適合可能なサブスクリプション情報の更新スキームが、提案される。
2021513309.tif 000002
【特許請求の範囲】
【請求項１】
サブスクリプション情報を更新するための方法であって、
第３のネット機能（ＮＦ）によって、第２のＮＦによって送信される第１のサブスクリプション情報を受信することであって、前記第１のサブスクリプション情報は、前記第２のＮＦによって第１のＮＦに割り当てられる第１の相関識別を含む、ことと、
前記第３のＮＦによって、第２の相関識別を前記第１のＮＦに割り当て、前記第３のＮＦによって、前記第２の相関識別を前記第１のＮＦに送信することと、
前記第３のＮＦによって、前記第１のＮＦの更新サブスクリプションメッセージを受信することであって、前記更新サブスクリプションメッセージは、前記第２の相関識別を含む、ことと
を含む、方法。
【請求項２】
前記第２の相関識別を前記第１のＮＦに送信することは、
前記第３のＮＦによって、第１の通知メッセージを前記第１のＮＦに送信することであって、前記第１の通知メッセージは、前記第２の相関識別を搬送する、こと
を含む、請求項１に記載の方法。
【請求項３】
前記第２の相関識別を前記第１のＮＦに送信することは、
前記第３のＮＦによって、第２の通知メッセージを前記第１のＮＦに送信することであって、前記第２の通知メッセージは、前記第１のＮＦに、再サブスクリプション情報を前記第３のＮＦに送信するように通知するように構成される、ことと、
前記第１のＮＦによって送信される前記再サブスクリプション情報を受信することと、
前記第３のＮＦによって、前記再サブスクリプション情報に従って、サブスクリプション応答を前記第１のＮＦに送信することであって、前記サブスクリプション応答は、前記第２の相関識別を含む、ことと
を含む、請求項１に記載の方法。
【請求項４】
前記第１のＮＦは、コンシューマＮＦを含み、前記第２のＮＦは、起点プロバイダＮＦを含み、前記第３のＮＦは、宛先プロバイダＮＦを含む、請求項１に記載の方法。
【請求項５】
前記第３のＮＦによって、少なくとも１つの情報を前記第１のＮＦに送信することをさらに含み、前記情報は、前記第３のＮＦの識別（ＩＤ）と、前記第１のサブスクリプション情報の中のサブスクリプションイベントと、前記第１のサブスクリプション情報によって示される前記第１のＮＦの標的コンテンツとを含む、請求項１に記載の方法。
【請求項６】
前記第３のＮＦによって、前記第２のＮＦによって送信される前記第１のサブスクリプション情報を受信することの後、前記方法はさらに、
前記第２のＮＦによって、前記第１のＮＦと前記第２のＮＦとの間のサブスクリプション関係を取り消すこと
を含む、請求項１に記載の方法。
【請求項７】
サブスクリプション情報を更新するための方法であって、
第１のネット機能（ＮＦ）によって、第２のＮＦとのサブスクリプションを確立することと、
前記第１のＮＦによって、第３のＮＦによって割り当てられる第２の相関識別を受信することであって、前記第３のＮＦは、前記第２のＮＦによって送信される前記サブスクリプション関係を搬送する第１のサブスクリプション情報を受信した後、前記第２の相関識別を前記第１のＮＦに割り当てる、ことと、
前記第１のＮＦによって、更新サブスクリプションメッセージを前記第３のＮＦに送信することであって、前記更新サブスクリプションメッセージは、前記第２の相関識別を含む、ことと
を含む、方法。
【請求項８】
前記第１のＮＦによって、前記第３のＮＦによって割り当てられる前記第２の相関識別を受信することは、
前記第３のＮＦによって送信される前記第２の相関識別を搬送する第１の通知メッセージを受信すること
を含む、請求項７に記載の方法。
【請求項９】
前記第１のＮＦによって、前記第３のＮＦによって割り当てられる前記第２の相関識別を受信することは、
前記第１のＮＦによって、前記第３のＮＦによって送信される第２の通知メッセージを受信することと、
前記第２の通知メッセージに従って、再サブスクリプション情報を前記第３のＮＦに送信することと、
前記再サブスクリプション情報に従って、前記第３のＮＦによってフィードバックされるサブスクリプション応答を受信することであって、前記サブスクリプション応答は、前記第２の相関識別を含む、ことと
を含む、請求項７に記載の方法。
【請求項１０】
サブスクリプション情報を更新するための装置であって、
第２のＮＦによって送信される第１のサブスクリプション情報を受信するように構成される第１の受信モジュールであって、前記第１のサブスクリプション情報は、前記第２のＮＦによって第１のＮＦに割り当てられる第１の相関識別を含む、第１の受信モジュールと、
第１の送信モジュールであって、前記第１の送信モジュールは、第２の相関識別を前記第１のＮＦに割り当て、次いで、第２の相関識別を前記第１のＮＦに送信するように構成される、第１の送信モジュールと、
第２の受信モジュールであって、前記第２の受信モジュールは、前記第１のＮＦの更新サブスクリプションメッセージを受信するように構成され、前記更新サブスクリプションメッセージは、前記第２の相関識別を含む、第２の受信モジュールと
を備える、装置。
【請求項１１】
サブスクリプション情報を更新するための装置であって、
確立モジュールであって、前記確立モジュールは、第２のＮＦとのサブスクリプション関係を確立するように構成される、確立モジュールと、
第３の受信モジュールであって、前記第３の受信モジュールは、第３のＮＦによって割り当てられる第２の相関識別を受信するように構成され、前記第３のＮＦは、前記第２のＮＦによって送信される前記サブスクリプション関係を搬送する第１のサブスクリプション情報を受信した後、前記第３の受信モジュールが属するＮＦに前記第２の相関識別を割り当てる、第３の受信モジュールと、
第２の送信モジュールであって、前記第２の送信モジュールは、更新サブスクリプションメッセージを前記第３のＮＦに送信するように構成され、前記更新サブスクリプションメッセージは、前記第２の相関識別を含む、第２の送信モジュールと
を備える、装置。
【請求項１２】
コンピュータプログラムを記憶する記憶媒体であって、前記コンピュータプログラムが、実行されると、請求項１−９のいずれか１項に記載の方法が、実施される、記憶媒体。
【請求項１３】
メモリと、プロセッサとを備える、サブスクリプション情報を更新するためのデバイスであって、前記メモリは、コンピュータプログラムを記憶するように構成され、前記プロセッサは、前記コンピュータプログラムを実行し、請求項１−９のいずれか１項に記載の方法を実施するように構成される、デバイス。
【発明の詳細な説明】
【技術分野】
【０００１】
（関連出願の相互参照）
本願は、その開示が、参照することによってその全体として本明細書に組み込まれる、２０１８年２月１３日に出願された、中国特許出願第２０１８１０１４９９２６．５号の優先権を主張する。
【０００２】
本開示は、通信に関し、具体的には、サブスクリプション情報を更新するための方法および装置に関する。
【背景技術】
【０００３】
関連技術において、新しい無線（ＮＲ）５Ｇプロトコルが、ユーザに、ネット機能（ＮＦ）を横断して登録するように要求すると、以前に登録された古いＮＦは、サブスクリプション情報を、ユーザの新しく登録された新しいＮＦに転送する必要がある。新しいＮＦによって直接使用される、古いＮＦから転送されるサブスクリプション情報は、サブスクリプション相関識別（ＩＤ）を含む。サブスクリプション相関ＩＤは、現在のサブスクリプション関係を識別するために使用され、ＮＦ（サブスクリプション情報のプロバイダ）によって割り当てられ、各ＮＦ内で一意であり、サブスクリプション応答メッセージの中で、コンシューマＮＦへの現在のサブスクリプション関係を搬送する。サブスクリプション相関ＩＤおよび現在のサブスクリプションは、コンシューマＮＦ、ならびに識別（ＩＤと略される）を搬送する、現在のサブスクリプションに関する（ＮＦは、コンシューマＮＦサブスクリプションイベントを通知する）、または現在のサブスクリプションを取消／修正する後続の通知メッセージによって関連付けられる。
【０００４】
しかしながら、新しいＮＦは、古いＮＦによって割り当てられる、サブスクリプション相関ＩＤを直接使用し、これは、サブスクリプション相関ＩＤが、新しいＮＦの中で一意であることを確実にし得ず、古いＮＦにサブスクリプション相関ＩＤを随時回収し損なわせ得る。
【０００５】
関連技術における、新しいシステムに適合可能なサブスクリプション情報の更新スキームの欠如の課題を解決するために、効率的なスキームが、提供されていない。
【発明の概要】
【発明が解決しようとする課題】
【０００６】
本開示の実施形態は、サブスクリプション情報を更新するための方法および装置を提供し、少なくとも、関連技術における、新しいシステムに適合可能なサブスクリプション情報の更新スキームの欠如の課題を解決する。
【課題を解決するための手段】
【０００７】
サブスクリプション情報を更新するための方法が、本開示のある実施形態において提供される。本方法は、下記に説明されるステップを含む。第３のネット機能（ＮＦ）が、第２のＮＦによって送信される、第１のサブスクリプション情報を受信し、第１のサブスクリプション情報は、第２のＮＦによって第１のＮＦに割り当てられる、第１の相関識別を含み、第３のＮＦは、第２の相関識別を第１のＮＦに割り当て、次いで、第２の相関識別を第１のＮＦに送信し、第３のＮＦは、第１のＮＦの更新サブスクリプションメッセージを受信し、更新サブスクリプションメッセージは、第２の相関識別を含む。
【０００８】
サブスクリプション情報を更新するための方法が、本開示の別の実施形態において提供される。本方法は、下記に説明されるステップを含む。第１のネット機能（ＮＦ）が、第２のＮＦとのサブスクリプション関係を確立し、第１のＮＦは、第３のＮＦによって割り当てられる、第２の相関識別を受信し、第３のＮＦは、第２のＮＦによって送信される、サブスクリプション関係を搬送する第１のサブスクリプション情報を受信した後、第２の相関識別を第１のＮＦに割り当て、第１のＮＦは、更新サブスクリプションメッセージを第３のＮＦに送信し、更新サブスクリプションメッセージは、第２の相関識別を含む。
【０００９】
サブスクリプション情報を更新するための装置が、本開示の別の実施形態において提供される。本装置は、第１の受信モジュールと、第１の送信モジュールと、第２の受信モジュールとを含む。第１の受信モジュールは、第２のＮＦによって送信される、第１のサブスクリプション情報を受信するように構成され、第１のサブスクリプション情報は、第２のＮＦによって第１のＮＦに割り当てられる、第１の相関識別を含む。第１の送信モジュールは、第２の相関識別を第１のＮＦに割り当て、次いで、第２の相関識別を第１のＮＦに送信するように構成される。第２の受信モジュールは、第１のＮＦの更新サブスクリプションメッセージを受信するように構成され、更新サブスクリプションメッセージは、第２の相関識別を含む。
【００１０】
サブスクリプション情報を更新するための装置が、本開示の別の実施形態において提供される。本装置は、確立モジュールと、第３の受信モジュールと、第２の送信モジュールとを含む。確立モジュールは、第２のＮＦとのサブスクリプション関係を確立するように構成される。第３の受信モジュールは、第３のＮＦによって割り当てられる、第２の相関識別を受信するように構成され、第３のＮＦは、第２のＮＦによって送信される、サブスクリプション関係を搬送する第１のサブスクリプション情報を受信した後、第３の受信モジュールが属するＮＦに第２の相関識別を割り当てる。第２の送信モジュールは、更新サブスクリプションメッセージを第３のＮＦに送信するように構成され、更新サブスクリプションメッセージは、第２の相関識別を含む。
【００１１】
本開示の別の実施形態によると、記憶媒体がさらに、提供される。記憶媒体は、コンピュータプログラムを記憶する。コンピュータプログラムが、実行されると、前述の方法実施形態のいずれか１項に記載のステップが、実施される。
【００１２】
本開示の別の実施形態によると、電子デバイスがさらに、提供される。電子デバイスは、メモリと、プロセッサとを含む。メモリは、コンピュータプログラムを記憶する。プロセッサは、コンピュータプログラムを実行し、前述の方法実施形態のいずれか１項に記載のステップを実施するように構成される。
【００１３】
本明細書に説明される図面は、本開示のさらなる理解を提供し、本願の一部を形成するために使用される。本開示における例証的実施形態およびその説明は、本開示を解説するために使用され、本開示を不適切な様式で限定するために使用されるものではない。
【図面の簡単な説明】
【００１４】
【図１】図１は、本開示のある実施形態による、第３のＮＦ側において適用される、サブスクリプション情報を更新するための方法１のフローチャートである。
【図２】図２は、本開示のある実施形態による、第１のＮＦ側において適用される、サブスクリプション情報を更新するための方法１のフローチャートである。
【図３】図３は、本開示のある実施形態による、第３のＮＦ側において適用される、サブスクリプション情報を更新するための方法３のフローチャートである。
【図４】図４は、本開示のある実施形態による、第３のＮＦ側において適用される、サブスクリプション情報を更新するための方法３のフローチャートである。
【図５】図５は、本開示のある実施形態による、第１のＮＦ側において適用される、サブスクリプション情報を更新するための方法２または方法３のフローチャートである。
【図６】図６は、例示的実施形態１による、局間移動を図示する概略図である。
【図７】図７は、例示的実施形態２による、新しいアクセスおよびモビリティ管理機能（ＡＭＦ）からコンシューマＮＦへの更新メッセージを生成することによってサブスクリプション関係を更新するステップのフローチャートである。
【図８】図８は、例示的実施形態３による、イベント通信メッセージの概略図である。
【図９】図９は、例示的実施形態４による、フローチャートである。
【図１０】図１０は、例示的実施形態５による、フローチャートである。
【発明を実施するための形態】
【００１５】
本開示は、以降において、図面を参照し、実施形態と併せて詳細に説明されるであろう。不一致が生じていない場合、本明細書に説明される実施形態および実施形態における特徴は、相互と組み合わせられ得ることに留意されたい。
【００１６】
本開示の説明、請求項、および上記の図面における、用語「第１の」、「第２の」、ならびに同等物は、類似する物体を区別するために使用され、必ずしも特定の順序またはシーケンスを説明するために使用されるものではないことに留意されたい。
【００１７】
本願のある実施形態は、（限定ではないが、第５世代（５Ｇ）モバイル通信ネットワークを含む）モバイル通信ネットワークを提供する。本ネットワークのネットワークアーキテクチャは、（基地局等の）ネットワーク側デバイスと、端末とを含み得る。上記のネットワークアーキテクチャ上で実行可能な情報伝送方法が、実施形態において提供される。本願の実施形態によって提供される上記の情報伝送方法の実行環境が、上記のネットワークアーキテクチャに限定されないことに留意されたい。
【００１８】
ユーザ端末が、ネット機能（ＮＦ）を横断して登録されるとき、本願における第３のＮＦは、新しい登録プロバイダＮＦであり得、第２のＮＦは、古い登録プロバイダＮＦであり得、第１のＮＦは、コンシューマＮＦであり得る。
【００１９】
実施形態１
本実施形態では、上記に説明されるネットワークアーキテクチャ上で実行される、サブスクリプション情報を更新するための方法が、提供される。図１は、本開示のある実施形態による、サブスクリプション情報を更新するための方法１の第３のＮＦ側のフローチャートである。図１に示されるように、本方法は、下記に説明されるステップを含む。
【００２０】
ステップＳ１０２において、第３のネット機能（ＮＦ）が、第２のＮＦによって送信される、第１のサブスクリプション情報を受信し、第１のサブスクリプション情報は、第２のＮＦによって第１のＮＦに割り当てられる、第１の相関識別を含む。
【００２１】
ステップＳ１０４において、第３のＮＦは、第２の相関識別を第１のＮＦに割り当て、第２の相関識別を第１のＮＦに送信する。
【００２２】
ステップＳ１０６において、第３のＮＦは、第１のＮＦの更新サブスクリプションメッセージを受信し、更新サブスクリプションメッセージは、第２の相関識別を含む。
【００２３】
随意に、上記の実施形態において、第１のＮＦは、コンシューマＮＦであり、第２のＮＦ上のユーザ機器（ＵＥ）のイベントをサブスクライブする。続いて、第２のＮＦは、ユーザ情報を新しい第３のＮＦに転送し、サブスクリプションメッセージは、第３のＮＦと第１のＮＦとの間で更新される。
【００２４】
加えて、上記の相関識別は、サブスクリプション補正ＩＤであり得る。
【００２５】
上記のステップを通して、第２のＮＦが、第１のサブスクリプション情報を第３のＮＦに転送した後、第１のサブスクリプション情報は、第２のＮＦによって第１のＮＦに割り当てられる、第１の相関識別を含み、第３のＮＦは、第２の相関識別を第１のＮＦに割り当てる。したがって、関連技術における、新しいシステムに適合可能なサブスクリプション情報の更新スキームの欠如の課題が、解決され、新しいシステムに適合可能なサブスクリプション情報の更新スキームが、提案され、例えば、ユーザ端末のＮＦ横断登録が、生成されると、サブスクリプションメッセージが、新しい第３のＮＦと第１のＮＦとの間で随時更新される。
【００２６】
一実施形態では、ステップＳ１０２、ステップＳ１０４、およびステップＳ１０６が、逆の順序で実行されてもよく、すなわち、ステップＳ１０４が、ステップＳ１０２の前に実行されてもよい。
【００２７】
随意に、第２の相関識別は、第１のＮＦに送信され、本方法は、第３のＮＦによって、第１の通知メッセージを第１のＮＦに送信するステップを含み、第１の通知メッセージは、第２の相関識別を搬送する。
【００２８】
随意に、第２の相関識別は、第１のＮＦに送信され、本方法は、下記に説明されるステップを含む。第３のＮＦが、第２の通知メッセージを第１のＮＦに送信し、第２の通知メッセージは、第１のＮＦに、再サブスクリプション情報を第３のＮＦに送信するように通知するように構成される。第１のＮＦによって送信される、再サブスクリプション情報が、受信される。第３のＮＦは、再サブスクリプション情報に従って、サブスクリプション応答を第１のＮＦに送信し、サブスクリプション応答は、第２の相関識別を含む。
【００２９】
随意に、第１のＮＦは、コンシューマＮＦを含み、第２のＮＦは、起点プロバイダＮＦを含み、第３のＮＦは、宛先プロバイダＮＦを含む。
【００３０】
随意に、第３のＮＦは、少なくとも１つの情報を第１のＮＦに送信し、情報は、第３のＮＦの識別（ＩＤ）と、第１のサブスクリプション情報の中のサブスクリプションイベントと、第１のサブスクリプション情報によって示される、第１のＮＦの標的コンテンツとを含む。標的コンテンツが、第１のＮＦへの着目コンテンツであり得ることに留意されたい。
【００３１】
随意に、第３のＮＦが、第２のＮＦによって送信される、第１のサブスクリプション情報を受信した後、第２のＮＦは、第１のＮＦと第２のＮＦとの間のサブスクリプション関係を取り消す。
【００３２】
本開示の別の実施形態はさらに、サブスクリプション情報を更新するための方法を提供する。図２は、本開示のある実施形態による、第１のＮＦ側において適用される、サブスクリプション情報を更新するための方法１のフローチャートである。図２に示されるように、本方法は、下記に説明されるステップを含む。
【００３３】
ステップＳ２０２において、第１のネット機能（ＮＦ）が、第２のＮＦとのサブスクリプション関係を確立する。
【００３４】
ステップＳ２０４において、第１のＮＦは、第３のＮＦによって割り当てられる、第２の相関識別を受信し、第３のＮＦは、第２のＮＦによって送信される、サブスクリプション関係を搬送する第１のサブスクリプション情報を受信した後、第２の相関識別を第１のＮＦに割り当てる。
【００３５】
ステップＳ２０６において、第１のＮＦは、更新サブスクリプションメッセージを第３のＮＦに送信し、更新サブスクリプションメッセージは、第２の相関識別を含む。
【００３６】
随意に、第１のＮＦは、第３のＮＦによって割り当てられる、第２の相関識別を受信し、本方法は、第３のＮＦによって送信される、相関識別を搬送する第１の通知メッセージを受信するステップを含む。
【００３７】
随意に、第１のＮＦは、第３のＮＦによって割り当てられる、第２の相関識別を受信し、本方法は、下記に説明されるステップを含む。第３のＮＦは、第２の通知メッセージを第１のＮＦに送信し、第２の通知メッセージは、第１のＮＦに、再サブスクリプション情報を第３のＮＦに送信するように通知するように構成される。第１のＮＦによって送信される、再サブスクリプション情報が、受信される。第３のＮＦは、再サブスクリプション情報に従って、サブスクリプション応答を第１のＮＦに送信し、サブスクリプション応答は、第２の相関識別を含む。
【００３８】
本開示の別の実施形態はさらに、サブスクリプション情報を更新するための方法を提供する。図３は、本開示のある実施形態による、第３のＮＦ側において適用される、サブスクリプション情報を更新するための方法２のフローチャートである。図３に示されるように、本方法は、下記に説明されるステップを含む。
【００３９】
ステップＳ３０２において、第３のネット機能（ＮＦ）が、第２のＮＦによって送信される、第１のサブスクリプション情報を受信し、第１のサブスクリプション情報は、第２のＮＦによって第１のＮＦに割り当てられる、第１の相関識別を含む。
【００４０】
ステップＳ３０４において、第３のＮＦは、第１のＮＦに、サブスクリプションを更新するように通知する。
【００４１】
ステップＳ３０６において、第３のＮＦは、第１のＮＦによって送信される、第２のサブスクリプション要求を受信し、第２のサブスクリプション要求に従って、第２の相関識別を第１のＮＦに割り当て、第２のサブスクリプション情報を確立する。
【００４２】
随意に、ユーザ機器は、第１のＮＦを以前に登録している。
【００４３】
随意に、第３のＮＦは、コンテンツのうちの少なくとも１つを通知するために、第１のＮＦに、サブスクリプションを更新するように通知し、コンテンツは、更新された相関識別と、プロバイダＮＦの更新された識別（ＩＤ）と、サブスクリプションイベントと、第１のサブスクリプション要求の中に示される、第１のＮＦへの着目コンテンツとを含む。
【００４４】
随意に、第３のＮＦが、サブスクリプション情報に対応する第１のＮＦに、サブスクリプションを更新するように通知した後、第２のＮＦは、第１のＮＦによって送信される、サブスクリプション解除情報を受信し、サブスクリプション解除情報に従って、第２のＮＦと第１のＮＦとの間のサブスクリプション関係を取り消す。
【００４５】
本開示の別の実施形態はさらに、サブスクリプション情報を更新するための方法を提供する。図４は、本開示のある実施形態による、第３のＮＦ側において適用される、サブスクリプション情報を更新するための方法３のフローチャートである。図４に示されるように、本方法は、下記に説明されるステップを含む。
【００４６】
ステップＳ４０２において、第３のネット機能（ＮＦ）が、第２のＮＦによって送信される、第１のサブスクリプション情報を受信し、第１のサブスクリプション情報は、第２のＮＦによって第１のＮＦに割り当てられる、第１の相関識別を含む。
【００４７】
ステップＳ４０４において、ユーザ機器が、プロバイダＮＦを横断して登録されるイベントの発生を検出した後、第１のサブスクリプション情報の中のイベントをサブスクライブしている第１のＮＦに関して、イベント通知メッセージ内の第３のＮＦは、少なくとも１つの情報を送信し、情報は、第２のＮＦによって割り当てられる、第１の相関識別と、第２のＮＦのＩＤと、第３のＮＦによって割り当てられる、第２の相関識別と、第３のＮＦのＩＤとを含む。
【００４８】
ステップＳ４０６において、第１のサブスクリプション情報の中のイベントをサブスクライブしない第１のＮＦに関して、第３のＮＦは、サブスクリプション更新メッセージを第１のＮＦに送信し、サブスクリプション更新メッセージは、第３のＮＦによって割り当てられる第２の相関識別および／または第３のＮＦの識別（ＩＤ）を含む。
【００４９】
本開示の別の実施形態はさらに、サブスクリプション情報を更新するための方法を提供する。図５は、本開示のある実施形態による、第１のＮＦ側において適用される、サブスクリプション情報を更新するための方法２または３のフローチャートである。図５に示されるように、本方法は、下記に説明されるステップを含む。
【００５０】
ステップＳ５０２において、第１のＮＦが、第２のＮＦの中に第１のＮＦの第１のサブスクリプション情報を確立するために、第１のサブスクリプション要求を第２のＮＦに送信する。
【００５１】
ステップＳ５０４において、第２のＮＦによって送信される、サブスクリプション更新メッセージが、受信され、サブスクリプション更新メッセージは、第１のサブスクリプション情報のために使用される。
【００５２】
随意に、第２のＮＦによって送信される、サブスクリプション更新メッセージが受信されるステップは、下記に説明されるステップを含む。第１のＮＦが、新しく登録された第３のＮＦによって送信されるサブスクリプションを更新するというインジケーションが、受信され、第１のサブスクリプション情報に対応するユーザ機器が、ＮＦ横断登録イベントを有し、第３のＮＦは、第２のＮＦから転送される、第１のサブスクリプション情報を受信する。第２のサブスクリプション要求が、第３のＮＦの中に第１のＮＦの第２のサブスクリプション情報を確立するために、第３のＮＦに送信される。
【００５３】
随意に、第１のＮＦが、新しく登録された第３のＮＦによって送信される、サブスクリプションを更新するというインジケーションが、受信された後、第１のＮＦは、第２のＮＦが、第２のＮＦと第１のＮＦとの間のサブスクリプション関係を取り消すことを示すために、サブスクリプション解除情報を第２のＮＦに送信する。
【００５４】
随意に、第２のＮＦによって送信される、サブスクリプション更新メッセージが受信されるステップは、下記に説明されるステップのうちの１つを含む。ユーザ機器が、ＮＦを横断して登録すること、および新しく登録された第３のＮＦが、第２のＮＦから転送される、第１のサブスクリプション情報を受信するイベントを検出した後、第１のサブスクリプション情報の中のイベントをサブスクライブしている第１のＮＦは、第３のＮＦによって送信される、イベント通知メッセージを受信し、イベント通知メッセージは、第２のＮＦによって割り当てられる、第１の相関識別、第２のＮＦのＩＤ、第３のＮＦによって割り当てられる、第２の相関識別、および第３のＮＦのＩＤのうちの少なくとも１つを含む。第１のサブスクリプション情報の中のイベントをサブスクライブしない第１のＮＦは、第３のＮＦによって送信される、サブスクリプション更新メッセージを受信し、サブスクリプション更新メッセージは、第３のＮＦによって割り当てられる第２の相関識別および／または第３のＮＦのＩＤを含む。
【００５５】
本開示は、随意の実施形態を参照して下記に詳細に説明されるであろう。
【００５６】
本願のＮＦが、アクセスおよびモビリティ管理機能（ＡＭＦ）、セッション管理機能（ＳＭＦ）、ポリシ制御機能（ＰＣＦ）、統合データ管理（ＵＤＭ）、ならびに同等物であり得ることに留意されたい。以下の随意の実施形態は、ＵＥのＡＭＦ横断登録、すなわち、第３のＮＦが、ユーザ機器によって新しく登録される新しいＡＭＦであり、第２のＮＦが、ユーザ機器によって以前に登録された古いＡＭＦであり、第３のＮＦおよび第２のＮＦが両方とも、プロバイダＮＦと称され得、第１のＮＦが、コンシューマＮＦであることを実施例として取り上げることによって、本願を詳細に例証するが、本出願書は、ＡＭＦ横断登録に限定されない。
ＵＥが、ＮＦを横断して登録すると、新しいＡＭＦを使用し、古いＡＭＦによって割り当てられるサブスクリプション相関ＩＤのスキームを直接使用するステップは、以下の３つの問題を引き起こすであろう。
【００５７】
１．サブスクリプション相関ＩＤの割当要件が、ＮＦ内で一意であるため、古いＡＭＦのサブスクリプションリソースが、新しいＡＭＦに渡された後、サブスクリプション相関ＩＤもまた、新しいＡＭＦ上で一意であるという保証がない。
【００５８】
２．モビリティイベントが、報告されると、新しいＡＭＦは、古いＡＭＦによって割り当てられるサブスクリプション相関ＩＤを搬送する。コンシューマＮＦは、ユーザが新しいＡＭＦに移動することを認識し、サブスクリプション停止するとき、メッセージを新しいＡＭＦに送信し、したがって、古いＡＭＦ上の割り当てられたサブスクリプション相関ＩＤリソースを再利用し損ねることにつながるであろう。
【００５９】
３．新しいＡＭＦが、モビリティイベントを報告し、コンシューマＮＦが、サブスクリプション停止する前、サブスクリプション解除メッセージは、依然として古いＡＭＦに送信され、古いＡＭＦは、新しいＡＭＦに転送することができず、新しいＡＭＦ上のサブスクリプション情報は、随時取り消されることができない。
【００６０】
上記に述べられるＡＭＦを横断したサブスクリプション情報の伝送において存在する問題に照らして、本開示は、以下の３つの技術的スキームのうちのいずれかを採用し、上記に述べられる問題を解決し得る。
【００６１】
スキーム１（スキーム１は、ここでは、上記の実施形態の方法２に類似する）：古いＡＭＦから転送されるサブスクリプション情報が、受信された後、新しいＡＭＦは、即座に、コンシューマＮＦに、全てのサブスクリプションに関して通知し、コンシューマＮＦは、古いＡＭＦをサブスクリプション解除し、新しいＡＭＦの新しいサブスクリプションを作成し、新しいＡＭＦは、そのサブスクリプション相関ＩＤをサブスクリプションプロセスの間に割り当てる。
【００６２】
スキーム２（スキーム２は、ここでは、上記の実施形態の方法１に類似する）：古いＡＭＦから転送されるサブスクリプション情報が、受信された後、新しいＡＭＦは、即座に、新しいＡＭＦのサブスクリプション相関ＩＤを割り当て、サブスクリプション更新メッセージを対応するコンシューマＮＦ（複数であり得る）に送信する。コンシューマＮＦは、サブスクリプション相関ＩＤおよびイベントプロバイダＮＦ  ＩＤを更新するように通知される。コンシューマＮＦは、受信された情報を保存および更新し、続いて、新しいＡＭＦからのイベント通知を承認する。古いＡＭＦ上のサブスクリプション情報は、古いＡＭＦによって削除され、コンシューマＮＦは、サブスクリプション解除を古いＡＭＦに送信する必要はない。
【００６３】
スキーム３（スキーム３は、ここでは、上記の実施形態の方法３に類似する）：ＡＭＦ横断プロシージャにおいて、古いＡＭＦによって渡されるサブスクリプション情報が、受信された後、新しいＡＭＦは、全てのサブスクリプション関係に関して新しいＡＭＦのサブスクリプション相関ＩＤを割り当て、本プロセスの終了後に通知イベントをトリガする必要がないコンシューマＮＦに関して、新しいＡＭＦは、即座に、サブスクリプション更新メッセージを送信し、サブスクリプションのサブスクリプション相関ＩＤを更新する。しかしながら、本プロシージャによってトリガされるイベントをサブスクライブしているコンシューマＮＦに関して、イベント通知のコンシューマＮＦは、プロシージャが終了した後、即座にトリガされる必要があり、イベント通知メッセージは、古いサブスクリプション相関ＩＤおよび新しく割り当てられたサブスクリプション相関ＩＤを搬送する。イベント通知に加えて、サブスクリプション相関ＩＤおよびプロバイダＮＦ  ＩＤが、同期的に更新されるであろう。
【００６４】
さらに、コンシューマＮＦに通知するＡＭＦのサブスクリプション更新メッセージ機構は、ＡＭＦとコンシューマとの間に限定されず、コンシューマＮＦに通知するプロバイダＮＦのサブスクリプション情報更新としての役割を果たす、５Ｇシステムにおける任意の一般的なメッセージ機構のために使用され得る。サブスクリプション更新メッセージ機構は、サブスクリプション料金サブスクリプション相関ＩＤおよび情報プロバイダＮＦ  ＩＤの変更を通知するために使用されるだけではなく、サブスクリプションモビリティイベント情報等のサブスクリプション関係の他の情報を更新するためにも使用され得る。
【００６５】
本開示は、実施形態と併せて下記に説明されるであろう。
【００６６】
例示的実施形態１：局間移動の後、新しいＡＭＦは、コンシューマＮＦに更新し、コンシューマＮＦを、古いＡＭＦをサブスクリプション解除するようにトリガし、新しいＡＭＦへのサブスクリプション要求を実施する。
【００６７】
図６は、例示的実施形態１による、局間移動の概略図である。図６に示されるように、以下のステップが、含まれる。
【００６８】
ステップＳ６０１において、コンシューマＮＦが、古いＡＭＦへのサブスクリプション要求を開始する。古いＡＭＦは、本サブスクリプションに関して、本ＡＭＦ内に一意のサブスクリプション相関ＩＤを割り当てている。
【００６９】
ステップＳ６０２において、古いＡＭＦは、割り当てられたサブスクリプション相関ＩＤ、その独自のＮＦ  ＩＤ等を搬送する応答をコンシューマＮＦに返信する。コンシューマＮＦは、応答を受信し、全ての後続のメッセージが、サブスクリプション相関ＩＤを搬送するであろう。
【００７０】
ステップＳ６０３において、ユーザ場所が、移動し、ＡＭＦへの登録要求を開始する。
【００７１】
ステップＳ６０４およびＳ６０５において、ＡＭＦを横断して登録するとき、新しいＡＭＦは、古いＡＭＦからのＵＥのコンテキスト情報を要求する。古いＡＭＦは、ＵＥのコンテキスト伝送応答を返し、サブスクリプション相関ＩＤを含む、サブスクリプション情報を新しいＡＭＦに渡す。
【００７２】
ステップＳ６０６において、登録プロシージャの残りのステップが、登録が正常に完了されるまで実施される。
【００７３】
ステップＳ６０７において、新しいＡＭＦは、古いＡＭＦから転送されるサブスクリプション関係の中にサブスクリプション相関ＩＤを搬送する、サブスクリプション更新要求と、古いＡＭＦのＮＦ  ＩＤとをコンシューマＮＦに送信する。
【００７４】
ステップＳ６０８において、コンシューマＮＦは、サブスクリプション解除要求を古いＡＭＦに送信し、サブスクリプション相関ＩＤを使用し、サブスクリプション関係を示す。
【００７５】
ステップＳ６０９において、古いＡＭＦは、サブスクリプション相関ＩＤによって示される、サブスクリプション関係を削除し、サブスクリプション解除応答をコンシューマＮＦに返す。
【００７６】
ステップＳ６１０において、コンシューマＮＦは、サブスクリプション要求を新しいＡＭＦに送信する。
【００７７】
ステップＳ６１１において、新しいＡＭＦは、同時に、コンシューマＮＦのサブスクリプション要求を受信し、新しいサブスクリプション相関ＩＤを割り当て、古いＡＭＦから転送されるサブスクリプション情報を削除する。
【００７８】
例示的実施形態２：新しいＡＭＦが、更新メッセージをコンシューマＮＦに送信し、サブスクリプション関係が、更新される。
【００７９】
図７は、例示的実施形態２による、新しいＡＭＦからコンシューマＮＦへの更新メッセージを生成することによってサブスクリプション関係を更新するステップのフローチャートである。図７に示されるように、下記のステップが、含まれる。
【００８０】
ステップＳ７０１において、コンシューマＮＦが、古いＡＭＦへのサブスクリプション要求を開始する。古いＡＭＦは、本サブスクリプションに関して本ＡＭＦ内に一意のサブスクリプション相関ＩＤを割り当てている。
【００８１】
ステップＳ７０２において、古いＡＭＦは、割り当てられたサブスクリプション相関ＩＤ、その独自のＮＦ  ＩＤ等を搬送するサブスクリプション応答をコンシューマＮＦに返信する。コンシューマＮＦは、応答を受信し、全ての後続のメッセージが、サブスクリプション相関ＩＤを搬送するであろう。
【００８２】
ステップＳ７０３において、ユーザ場所が、移動し、ＡＭＦへの登録要求を開始する。
【００８３】
ステップＳ７０４およびＳ７０５において、ＡＭＦを横断して登録するとき、新しいＡＭＦは、古いＡＭＦからのＵＥのコンテキスト情報を要求する。古いＡＭＦは、ＵＥのコンテキスト要求に従って、応答をフィードバックし、サブスクリプション相関ＩＤを含むサブスクリプション情報を新しいＡＭＦに渡す。
【００８４】
ステップＳ７０６において、登録プロシージャの残りのステップが、登録が正常に完了されるまで実施される。
【００８５】
ステップＳ７０７において、新しいＡＭＦは、新しいサブスクリプション相関ＩＤを割り当て、サブスクリプション更新要求をコンシューマＮＦに送信し、メッセージは、古いＡＭＦから転送される、サブスクリプション情報の中の古いサブスクリプション相関ＩＤと、古いＡＭＦのＮＦ  ＩＤと、新しいＡＭＦによって割り当てられる、新しいサブスクリプション相関ＩＤと、新しいＡＭＦのＮＦ  ＩＤとを搬送する。
【００８６】
ステップＳ７０８において、新しいＡＭＦのサブスクリプション更新メッセージが、受信された後、コンシューマＮＦは、メッセージの中の古いサブスクリプション相関ＩＤに従って、サブスクリプション関係を見出し、プロバイダのサブスクリプション相関ＩＤを更新し、新しいＡＭＦに応答を返信する。古いＡＭＦ上でのサブスクリプション関係の削除は、コンシューマＮＦからの別個の通知を要求しないが、古いＡＭＦは、そのユーザコンテキストを削除するとき、ユーザに関するサブスクリプション関係を削除する。
【００８７】
例示的実施形態３：新しいＡＭＦが、更新メッセージをコンシューマＮＦの一部に送信し、サブスクリプション関係を更新し、コンシューマＮＦの一部は、イベント通知メッセージを通してサブスクリプション関係を更新する。
【００８８】
図８は、例示的実施形態３による、イベント通信メッセージの概略図である。図８に示されるように、下記のステップが、含まれる。
【００８９】
ステップＳ８０１において、複数のコンシューマＮＦが、古いＡＭＦへのサブスクリプション要求を開始し、コンシューマＮＦ−２が、ユーザ登録に関連する移動イベントをサブスクライブする。古いＡＭＦは、サブスクリプション毎に、本ＡＭＦ内に一意のサブスクリプション相関ＩＤを割り当てている。
【００９０】
ステップＳ８０２において、古いＡＭＦは、割り当てられたサブスクリプション相関ＩＤ、その独自のＮＦ  ＩＤ等を搬送する応答を全てのコンシューマＮＦに返信する。コンシューマＮＦは、応答を受信し、全ての後続のメッセージが、サブスクリプション相関ＩＤを搬送するであろう。
【００９１】
ステップＳ８０３において、ユーザ場所が、移動し、ＡＭＦへの登録要求を開始する。
【００９２】
ステップＳ８０４およびＳ８０５において、ＡＭＦを横断して登録するとき、新しいＡＭＦは、古いＡＭＦからのＵＥのコンテキスト情報を要求する。古いＡＭＦは、ＵＥのコンテキスト要求に従って、応答をフィードバックし、サブスクリプション相関ＩＤを含む、サブスクリプション情報を新しいＡＭＦに渡す。
【００９３】
ステップＳ８０６において、登録プロシージャの残りのステップが、登録が正常に完了されるまで実施される。
【００９４】
ステップＳ８０７において、コンシューマＮＦの一部が、ユーザ登録プロセスによって生成されたモビリティイベントをサブスクライブしている場合、新しいＡＭＦは、登録が正常に完了された直後にコンシューマＮＦにモビリティイベントを通知する必要がある。例えば、本例示的実施形態では、コンシューマＮＦ−２は、ユーザ登録プロセスによって生成されたモビリティイベントをサブスクライブしており、新しいＡＭＦは、即座にコンシューマＮＦ−２にモビリティイベントを通知する。しかしながら、本通知イベントでは、古いＡＭＦを搬送するサブスクリプション相関ＩＤおよびＮＦ  ＩＤに加えて、新しいＡＭＦによって新しく割り当てられたサブスクリプション相関ＩＤおよび新しいＡＭＦのＮＦ  ＩＤも、搬送される必要がある。モビリティイベントを受信するステップに加えて、コンシューマＮＦ−２はまた、サブスクリプションのサブスクリプション相関ＩＤを更新し、新しいサブスクリプション相関ＩＤが、新しいＡＭＦと古いＡＭＦとの間の後続の相互作用メッセージの中で使用される。
【００９５】
ステップＳ８０８およびＳ８０９において、登録後に通知される必要のないコンシューマＮＦ、例えば、サブスクライブおよび登録していないコンシューマＮＦ−１によって生成されるモビリティイベントに関して、新しいＡＭＦは、即座に更新メッセージを送信する必要がある。サブスクリプション相関ＩＤおよびプロバイダのＮＦ  ＩＤを更新することは、コンシューマＮＦにとって便宜的である。これは、例示的実施形態２における対応するステップＳ７０７およびＳ７０８と同一である。
【００９６】
例示的実施形態２と比較すると、本例示的実施形態３は、全てのコンシューマＮＦにサブスクリプション更新メッセージを送信する必要がなく、イベント通知メッセージの中に新しいサブスクリプション相関ＩＤおよびプロバイダのＮＦ  ＩＤを搬送し、サブスクリプション関係を更新する目的を達成し得る。
【００９７】
例示的実施形態４：サブスクリプション更新が、サブスクリプション関係がプロバイダＮＦを横断して転送された後、更新機構のための共通機構として使用される。
【００９８】
図９は、例示的実施形態４による、フローチャートである。図９に示されるように、下記のステップが、含まれる。
【００９９】
ステップＳ９０１において、コンシューマＮＦが、古いプロバイダＮＦへのサブスクリプション要求を開始し、古いＡＭＦは、サブスクリプション毎に、本ＮＦ内に一意のサブスクリプション相関ＩＤを割り当てており、プロバイダＮＦは、ＡＭＦ、ＳＭＦ、ＰＣＦ、ＵＤＭ、および同等物である。
【０１００】
ステップＳ９０２において、古いＮＦは、割り当てられたサブスクリプション相関ＩＤ、その独自のＮＦ  ＩＤ等を搬送するサブスクリプション応答を全てのコンシューマＮＦに返信する。コンシューマＮＦは、応答を受信し、全ての後続のメッセージが、サブスクリプション相関ＩＤを搬送するであろう。
【０１０１】
ステップＳ９０３において、ユーザ情報をＮＦ間で転送させる、ユーザ場所の移動等の種々の理由に起因して、古いＮＦは、サブスクリプション関係を含む、ユーザ情報を新しいＮＦに転送し得る。例えば、ＡＭＦを横断したハンドオーバプロシージャが、ユーザによって開始される。
【０１０２】
ステップＳ９０４およびＳ９０５において、新しいプロバイダＮＦは、サブスクリプション更新メッセージをコンシューマＮＦに送信し、サブスクリプション更新メッセージは、限定ではないが、サブスクリプション相関ＩＤと、プロバイダのＮＦ  ＩＤとを含む。
【０１０３】
本例示的実施形態４では、サブスクリプション更新が、サブスクリプション関係がプロバイダＮＦを横断して転送された後、更新機構のための共通機構として使用される。プロバイダＮＦは、ＡＭＦ、ＳＭＦ、ＰＣＦ、ＵＤＭ、および同等物であり得る。サブスクリプション関係は、そのユーザ情報が、同一の種類の２つのＮＦの間で転送される限り、ＮＦの間で転送されることができる。サブスクリプション更新メッセージは、新しいＮＦによって使用され、コンシューマＮＦに、サブスクリプション情報を更新するように通知することができ、サブスクリプション更新メッセージは、限定ではないが、サブスクリプション相関ＩＤと、プロバイダのＮＦ  ＩＤとを含む。
【０１０４】
例示的実施形態５：サブスクリプション更新が、プロバイダＮＦが、コンシューマＮＦに、サブスクリプション情報を更新するように能動的に通知するための共通機構として使用される。
【０１０５】
図１０は、例示的実施形態５による、フローチャートである。図１０に示されるように、下記のステップが、含まれる。
【０１０６】
ステップＳ１００１において、コンシューマＮＦが、プロバイダＮＦへのサブスクリプション要求を開始し、プロバイダＮＦは、ＡＭＦ、ＳＭＦ、ＰＣＦ、ＵＤＭ、および同等物である。
【０１０７】
ステップＳ１００２において、プロバイダＮＦは、コンシューマＮＦに応答を返信する。
【０１０８】
ステップＳ１００３において、プロバイダＮＦが、その独自の能力変化または他の理由に起因して、コンシューマＮＦに、サブスクリプション情報を更新するように通知する必要があるとき、プロバイダＮＦは、サブスクリプション更新メッセージをコンシューマＮＦに送信し、更新されるコンテンツは、限定ではないが、サブスクリプション相関ＩＤ、プロバイダのＮＦ  ＩＤ、サブスクライブされるイベント、コンシューマＮＦへの着目情報等を含む。
【０１０９】
ステップＳ１００４において、コンシューマＮＦは、サブスクリプション更新応答をプロバイダＮＦに返す。
【０１１０】
上記に述べられる実装の説明から、実施形態における方法が、ソフトウェアおよび必要な汎用目的ハードウェアプラットフォームによって実装され得る、または当然ながら、ハードウェアによって実装され得ることが、当業者に明白となるであろう。しかしながら、多くの場合、前者が、好ましい実装である。本理解に基づいて、本開示によって提供される技術的スキームは、本質的に、または関連技術に寄与する部分は、ソフトウェア製品の形態で具現化され得る。コンピュータソフトウェア製品は、（ＲＯＭ／ＲＡＭ、磁気ディスク、または光ディスク等の）記憶媒体の中に記憶され、（携帯電話、コンピュータ、サーバ、ネットワーク機器、または同等物であり得る）端末機器が本開示の各実施形態による方法を実施することを可能にするためのいくつかの命令を含む。
【０１１１】
実施形態２
本実施形態はさらに、サブスクリプション情報を更新するための装置を提供する。本装置は、上記に述べられる実施形態および好ましい実施形態を実装するために使用される。説明済みであるものは、繰り返されないであろう。下記に使用されるように、用語「モジュール」は、所定の機能を実装することが可能である、ソフトウェア、ハードウェア、またはそれらの組み合わせであり得る。下記に説明される実施形態における装置は、好ましくは、ソフトウェアによって実装されるが、ハードウェアによる、またはソフトウェアおよびハードウェアの組み合わせによる実装もまた、可能性として考えられ、想起される。
【０１１２】
本開示の別の実施形態によると、サブスクリプション情報を更新するための装置がさらに、提供される。本装置は、第１の受信モジュールと、第１の送信モジュールと、第２の受信モジュールとを含む。
【０１１３】
第１の受信モジュールは、第２のＮＦによって送信される、第１のサブスクリプション情報を受信するように構成され、第１のサブスクリプション情報は、第２のＮＦによって第１のＮＦに割り当てられる、第１の相関識別を含む。
【０１１４】
第１の送信モジュールは、第２の相関識別を第１のＮＦに割り当て、第２の相関識別を第１のＮＦに送信するように構成される。
【０１１５】
第２の受信モジュールは、第１のＮＦの更新サブスクリプションメッセージを受信するように構成され、更新サブスクリプションメッセージは、第２の相関識別を含む。
【０１１６】
上記の相関識別が、サブスクリプション補正ＩＤであり得ることに留意されたい。
【０１１７】
上記のステップを通して、第２のＮＦが、第１のサブスクリプション情報を第３のＮＦに転送した後、第１のサブスクリプション情報が、第２のＮＦによって第１のＮＦに割り当てられる、第１の相関識別を含む場合、第３のＮＦは、第２の相関識別を第１のＮＦに割り当てる。したがって、関連技術における、新しいシステムに適合可能なサブスクリプション情報の更新スキームの欠如の課題が、解決され、新しいシステムに適合可能なサブスクリプション情報の更新スキームが、提案され、例えば、ユーザ端末のＮＦ横断登録が、生成されると、サブスクリプションメッセージが、新しい第３のＮＦと第１のＮＦとの間で随時更新される。
【０１１８】
随意に、第２の相関識別は、第１のＮＦに送信され、本方法は、第３のＮＦによって、第１の通知メッセージを第１のＮＦに送信するステップを含み、第１の通知メッセージは、第２の相関識別を搬送する。
【０１１９】
随意に、第２の相関識別は、第１のＮＦに送信され、本方法は、下記に説明されるステップを含む。第３のＮＦは、第２の通知メッセージを第１のＮＦに送信し、第２の通知メッセージは、第１のＮＦに、再サブスクリプション情報を第３のＮＦに送信するように通知するように構成される。第１のＮＦによって送信される、再サブスクリプション情報が、受信される。第３のＮＦは、再サブスクリプション情報に従って、サブスクリプション応答を第１のＮＦに送信し、サブスクリプション応答は、第２の相関識別を含む。
【０１２０】
随意に、第１のＮＦは、コンシューマＮＦを含み、第２のＮＦは、プロバイダＮＦを含み、第３のＮＦは、宛先プロバイダＮＦを含む。
【０１２１】
随意に、第３のＮＦは、少なくとも１つの情報を第１のＮＦに送信し、情報は、第３のＮＦの識別（ＩＤ）と、第１のサブスクリプション情報の中のサブスクリプションイベントと、第１のサブスクリプション情報によって示される、第１のＮＦの標的コンテンツとを含む。標的コンテンツが、第１のＮＦへの着目コンテンツであり得ることに留意されたい。
【０１２２】
随意に、第３のＮＦが、第２のＮＦによって送信される、第１のサブスクリプション情報を受信した後、第２のＮＦは、第１のＮＦと第２のＮＦとの間のサブスクリプション関係を取り消す。
【０１２３】
本開示の別の実施形態によると、サブスクリプション情報を更新するための装置がさらに、提供される。本装置は、確立モジュールと、第３の受信モジュールと、第２の送信モジュールとを含む。
【０１２４】
確立モジュールは、第２のＮＦとのサブスクリプション関係を確立するように構成される。
【０１２５】
第３の受信モジュールは、第３のＮＦによって割り当てられる、第２の相関識別を受信するように構成され、第３のＮＦは、第２のＮＦによって送信される、サブスクリプション関係を搬送する第１のサブスクリプション情報を受信した後、第３の受信モジュールが属するＮＦに第２の相関識別を割り当てる。
【０１２６】
第２の送信モジュールは、更新サブスクリプションメッセージを第３のＮＦに送信するように構成され、更新サブスクリプションメッセージは、第２の相関識別を含む。
【０１２７】
随意に、第１のＮＦは、第３のＮＦによって割り当てられる、第２の相関識別を受信し、本方法は、第３のＮＦによって送信される、相関識別を搬送する第１の通知メッセージを受信するステップを含む。
【０１２８】
随意に、第１のＮＦは、第３のＮＦによって割り当てられる、第２の相関識別を受信し、本方法は、下記に説明されるステップを含む。第１のＮＦが、第３のＮＦによって送信される、第２の通知メッセージを受信する。再サブスクリプション情報が、第２の通知メッセージに従って、第３のＮＦに送信される。再サブスクリプション情報に従って、第３のＮＦによってフィードバックされる、サブスクリプション応答が、受信され、サブスクリプション応答は、第２の相関識別を含む。
【０１２９】
前述のモジュールが、ソフトウェアまたはハードウェアによって実装され得ることに留意されたい。ハードウェアによる実装は、必ずしもではないが、以下の様式で実施されてもよく、すなわち、前述のモジュールは、同一のプロセッサの中に位置する、または前述のモジュールは、それらの個別のプロセッサの中に任意の組み合わせで位置する。
【０１３０】
実施形態３
本開示の別の実施形態によると、記憶媒体が、提供される。記憶媒体は、コンピュータプログラムを記憶するように構成され、コンピュータプログラムは、実行されると、上記に説明される任意の実施形態の中で説明される方法を実行する。
【０１３１】
実施形態４
本開示の別の実施形態によると、メモリと、プロセッサとを含む、電子装置が、提供される。メモリは、コンピュータプログラムを記憶し、プロセッサは、コンピュータプログラムを起動し、上記に述べられる方法を実行するように構成される。
【０１３２】
本開示によって、第２のＮＦが、第１のサブスクリプション情報を第３のＮＦに転送した後、第１のサブスクリプション情報が、第２のＮＦによって第１のＮＦに割り当てられる、第１の相関識別を含む場合、第３のＮＦは、第２の相関識別を第１のＮＦに割り当て、第３のＮＦは、第１のＮＦの更新サブスクリプション情報を受信し、更新サブスクリプション情報は、第２の相関識別を含む。上記のスキームを使用することによって、関連技術における、新しいシステムに適合可能なサブスクリプション情報の更新スキームの欠如の課題が、解決され、新しいシステムに適合可能なサブスクリプション情報の更新スキームが、提案され、例えば、ユーザ端末のＮＦ横断登録が、生成されると、サブスクリプションメッセージが、新しい第３のＮＦと第１のＮＦとの間で随時更新される。
【０１３３】
明白なこととして、本開示のモジュールまたはステップが、少なくとも１つの汎用コンピューティングデバイスによって実装され得、単一のコンピューティングデバイス上に集中される、もしくは複数のコンピューティングデバイスによって形成されるネットワークの中に分散され得ることが、当業者によって理解されるはずである。随意に、これらのモジュールまたはステップは、少なくとも１つのコンピューティングデバイスによって実行可能なプログラムコードによって実装され得る。したがって、これらのモジュールまたはステップは、記憶媒体の中に記憶され、少なくとも１つのコンピューティングデバイスによって実行され得る。また、ある場合には、図示または説明されるステップは、本明細書に説明されるシーケンスと異なるシーケンスで実行され得る。代替として、これらのモジュールまたはステップはそれぞれ、集積回路モジュールに作製されることによって実装され得る、もしくはこれらのモジュールまたはステップの複数のものが、単一の集積回路モジュールに作製されることによって実装され得る。このように、本開示は、ハードウェアおよびソフトウェアのいかなる具体的な組み合わせにも限定されない。
【０１３４】
上記は、本開示の好ましい実施形態にすぎず、本開示を限定することは意図しておらず、当業者のために、本開示は、種々の修正および変形例を有し得る。本開示の精神および原理の範囲内で成されるいかなる修正、同等の代用、改良、ならびに同等物も、本開示の範囲内にある。
【図１】
2021513309.tif 000003
【図２】
2021513309.tif 000004
【図３】
2021513309.tif 000005
【図４】
2021513309.tif 000006
【図５】
2021513309.tif 000007
【図６】
2021513309.tif 000008
【図７】
2021513309.tif 000009
【図８】
2021513309.tif 000010
【図９】
2021513309.tif 000011
【図１０】
2021513309.tif 000012
【手続補正書】
【提出日】令和2年10月29日(2020.10.29)
【手続補正１】
【補正対象書類名】特許請求の範囲
【補正対象項目名】全文
【補正方法】変更
【補正の内容】
【特許請求の範囲】
【請求項１】
サブスクリプション情報を更新するための方法であって、
新しいネット機能（ＮＦ）によって、古いＮＦによって送信される第１のサブスクリプション情報を受信することと、
前記新しいＮＦによって、新しい相関識別をコンシューマＮＦに割り当てることと、
前記新しいＮＦによって、前記新しい相関識別を前記コンシューマＮＦに送信することと
を含む、方法。
【請求項２】
前記新しい相関識別を送信するステップは、前記新しいＮＦによって、前記新しい相関識別を搬送する通知メッセージを前記コンシューマＮＦに送信することをさらに含む、請求項１に記載の方法。
【請求項３】
前記第１のサブスクリプション情報は、前記古いＮＦによって前記コンシューマＮＦに割り当てられる古い相関識別を含む、請求項１に記載の方法。
【請求項４】
前記新しいＮＦによって、前記コンシューマＮＦの更新サブスクリプションメッセージを受信することをさらに含み、前記更新サブスクリプションメッセージは、前記新しい相関識別を含む、請求項１に記載の方法。
【請求項５】
前記新しいＮＦによって、以下の情報：前記新しいＮＦの識別（ＩＤ）、前記第１のサブスクリプション情報の中のサブスクリプションイベント、または前記第１のサブスクリプション情報によって示される前記コンシューマＮＦの標的コンテンツのうちの少なくとも１つを前記コンシューマＮＦに送信することをさらに含む、請求項１に記載の方法。
【請求項６】
前記第１のサブスクリプションを受信するステップの後、前記方法は、前記古いＮＦによって、前記コンシューマＮＦと前記古いＮＦとの間のサブスクリプション関係を取り消すことをさらに含む、請求項１に記載の方法。
【請求項７】
サブスクリプション情報を更新するための方法であって、
コンシューマネット機能（ＮＦ）によって、古いＮＦとのサブスクリプション関係を確立することと、
新しいＮＦが前記古いＮＦによって送信される前記サブスクリプション関係を搬送する第１のサブスクリプション情報を受信した後、前記コンシューマＮＦによって、前記新しいＮＦによって割り当てられる新しい相関識別を受信することと
を含む、方法。
【請求項８】
前記コンシューマＮＦによって、更新サブスクリプションメッセージを前記新しいＮＦに送信することをさらに含み、前記更新サブスクリプションメッセージは、前記新しい相関識別を含む、請求項７に記載の方法。
【請求項９】
前記新しい相関識別を受信するステップは、前記コンシューマＮＦによって、前記新しいＮＦによって送信される前記新しい相関識別を搬送する通知メッセージを受信することをさらに含む、請求項７に記載の方法。
【請求項１０】
前記コンシューマＮＦによって、以下の情報：前記新しいＮＦの識別（ＩＤ）、前記第１のサブスクリプション情報の中のサブスクリプションイベント、または前記第１のサブスクリプション情報によって示される前記コンシューマＮＦの標的コンテンツのうちの少なくとも１つを前記新しいＮＦから受信することをさらに含む、請求項７に記載の方法。
【請求項１１】
メモリとプロセッサとを備える、サブスクリプション情報を更新するためのデバイスであって、前記メモリは、コンピュータプログラムを記憶するように構成され、前記プロセッサは、請求項１に記載の方法を実施するために前記コンピュータプログラムを実行するように構成されている、デバイス。
【請求項１２】
メモリとプロセッサとを備える、サブスクリプション情報を更新するためのデバイスであって、前記メモリは、コンピュータプログラムを記憶するように構成され、前記プロセッサは、請求項２に記載の方法を実施するために前記コンピュータプログラムを実行するように構成されている、デバイス。
【請求項１３】
メモリとプロセッサとを備える、サブスクリプション情報を更新するためのデバイスであって、前記メモリは、コンピュータプログラムを記憶するように構成され、前記プロセッサは、請求項３に記載の方法を実施するために前記コンピュータプログラムを実行するように構成されている、デバイス。
【請求項１４】
メモリとプロセッサとを備える、サブスクリプション情報を更新するためのデバイスであって、前記メモリは、コンピュータプログラムを記憶するように構成され、前記プロセッサは、請求項４に記載の方法を実施するために前記コンピュータプログラムを実行するように構成されている、デバイス。
【請求項１５】
メモリとプロセッサとを備える、サブスクリプション情報を更新するためのデバイスであって、前記メモリは、コンピュータプログラムを記憶するように構成され、前記プロセッサは、請求項５に記載の方法を実施するために前記コンピュータプログラムを実行するように構成されている、デバイス。
【請求項１６】
メモリとプロセッサとを備える、サブスクリプション情報を更新するためのデバイスであって、前記メモリは、コンピュータプログラムを記憶するように構成され、前記プロセッサは、請求項６に記載の方法を実施するために前記コンピュータプログラムを実行するように構成されている、デバイス。
【請求項１７】
メモリとプロセッサとを備える、サブスクリプション情報を更新するためのデバイスであって、前記メモリは、コンピュータプログラムを記憶するように構成され、前記プロセッサは、請求項７に記載の方法を実施するために前記コンピュータプログラムを実行するように構成されている、デバイス。
【請求項１８】
メモリとプロセッサとを備える、サブスクリプション情報を更新するためのデバイスであって、前記メモリは、コンピュータプログラムを記憶するように構成され、前記プロセッサは、請求項８に記載の方法を実施するために前記コンピュータプログラムを実行するように構成されている、デバイス。
【請求項１９】
メモリとプロセッサとを備える、サブスクリプション情報を更新するためのデバイスであって、前記メモリは、コンピュータプログラムを記憶するように構成され、前記プロセッサは、請求項９に記載の方法を実施するために前記コンピュータプログラムを実行するように構成されている、デバイス。
【請求項２０】
メモリとプロセッサとを備える、サブスクリプション情報を更新するためのデバイスであって、前記メモリは、コンピュータプログラムを記憶するように構成され、前記プロセッサは、請求項１０に記載の方法を実施するために前記コンピュータプログラムを実行するように構成されている、デバイス。
【手続補正２】
【補正対象書類名】明細書
【補正対象項目名】００１２
【補正方法】変更
【補正の内容】
【００１２】
本開示の別の実施形態によると、電子デバイスがさらに、提供される。電子デバイスは、メモリと、プロセッサとを含む。メモリは、コンピュータプログラムを記憶する。プロセッサは、コンピュータプログラムを実行し、前述の方法実施形態のいずれか１項に記載のステップを実施するように構成される。
本願明細書は、例えば、以下の項目も提供する。
（項目１）
サブスクリプション情報を更新するための方法であって、
第３のネット機能（ＮＦ）によって、第２のＮＦによって送信される第１のサブスクリプション情報を受信することであって、前記第１のサブスクリプション情報は、前記第２のＮＦによって第１のＮＦに割り当てられる第１の相関識別を含む、ことと、
前記第３のＮＦによって、第２の相関識別を前記第１のＮＦに割り当て、前記第３のＮＦによって、前記第２の相関識別を前記第１のＮＦに送信することと、
前記第３のＮＦによって、前記第１のＮＦの更新サブスクリプションメッセージを受信することであって、前記更新サブスクリプションメッセージは、前記第２の相関識別を含む、ことと
を含む、方法。
（項目２）
前記第２の相関識別を前記第１のＮＦに送信することは、
前記第３のＮＦによって、第１の通知メッセージを前記第１のＮＦに送信することであって、前記第１の通知メッセージは、前記第２の相関識別を搬送する、こと
を含む、項目１に記載の方法。
（項目３）
前記第２の相関識別を前記第１のＮＦに送信することは、
前記第３のＮＦによって、第２の通知メッセージを前記第１のＮＦに送信することであって、前記第２の通知メッセージは、前記第１のＮＦに、再サブスクリプション情報を前記第３のＮＦに送信するように通知するように構成される、ことと、
前記第１のＮＦによって送信される前記再サブスクリプション情報を受信することと、
前記第３のＮＦによって、前記再サブスクリプション情報に従って、サブスクリプション応答を前記第１のＮＦに送信することであって、前記サブスクリプション応答は、前記第２の相関識別を含む、ことと
を含む、項目１に記載の方法。
（項目４）
前記第１のＮＦは、コンシューマＮＦを含み、前記第２のＮＦは、起点プロバイダＮＦを含み、前記第３のＮＦは、宛先プロバイダＮＦを含む、項目１に記載の方法。
（項目５）
前記第３のＮＦによって、少なくとも１つの情報を前記第１のＮＦに送信することをさらに含み、前記情報は、前記第３のＮＦの識別（ＩＤ）と、前記第１のサブスクリプション情報の中のサブスクリプションイベントと、前記第１のサブスクリプション情報によって示される前記第１のＮＦの標的コンテンツとを含む、項目１に記載の方法。
（項目６）
前記第３のＮＦによって、前記第２のＮＦによって送信される前記第１のサブスクリプション情報を受信することの後、前記方法はさらに、
前記第２のＮＦによって、前記第１のＮＦと前記第２のＮＦとの間のサブスクリプション関係を取り消すこと
を含む、項目１に記載の方法。
（項目７）
サブスクリプション情報を更新するための方法であって、
第１のネット機能（ＮＦ）によって、第２のＮＦとのサブスクリプションを確立することと、
前記第１のＮＦによって、第３のＮＦによって割り当てられる第２の相関識別を受信することであって、前記第３のＮＦは、前記第２のＮＦによって送信される前記サブスクリプション関係を搬送する第１のサブスクリプション情報を受信した後、前記第２の相関識別を前記第１のＮＦに割り当てる、ことと、
前記第１のＮＦによって、更新サブスクリプションメッセージを前記第３のＮＦに送信することであって、前記更新サブスクリプションメッセージは、前記第２の相関識別を含む、ことと
を含む、方法。
（項目８）
前記第１のＮＦによって、前記第３のＮＦによって割り当てられる前記第２の相関識別を受信することは、
前記第３のＮＦによって送信される前記第２の相関識別を搬送する第１の通知メッセージを受信すること
を含む、項目７に記載の方法。
（項目９）
前記第１のＮＦによって、前記第３のＮＦによって割り当てられる前記第２の相関識別を受信することは、
前記第１のＮＦによって、前記第３のＮＦによって送信される第２の通知メッセージを受信することと、
前記第２の通知メッセージに従って、再サブスクリプション情報を前記第３のＮＦに送信することと、
前記再サブスクリプション情報に従って、前記第３のＮＦによってフィードバックされるサブスクリプション応答を受信することであって、前記サブスクリプション応答は、前記第２の相関識別を含む、ことと
を含む、項目７に記載の方法。
（項目１０）
サブスクリプション情報を更新するための装置であって、
第２のＮＦによって送信される第１のサブスクリプション情報を受信するように構成される第１の受信モジュールであって、前記第１のサブスクリプション情報は、前記第２のＮＦによって第１のＮＦに割り当てられる第１の相関識別を含む、第１の受信モジュールと、
第１の送信モジュールであって、前記第１の送信モジュールは、第２の相関識別を前記第１のＮＦに割り当て、次いで、第２の相関識別を前記第１のＮＦに送信するように構成される、第１の送信モジュールと、
第２の受信モジュールであって、前記第２の受信モジュールは、前記第１のＮＦの更新サブスクリプションメッセージを受信するように構成され、前記更新サブスクリプションメッセージは、前記第２の相関識別を含む、第２の受信モジュールと
を備える、装置。
（項目１１）
サブスクリプション情報を更新するための装置であって、
確立モジュールであって、前記確立モジュールは、第２のＮＦとのサブスクリプション関係を確立するように構成される、確立モジュールと、
第３の受信モジュールであって、前記第３の受信モジュールは、第３のＮＦによって割り当てられる第２の相関識別を受信するように構成され、前記第３のＮＦは、前記第２のＮＦによって送信される前記サブスクリプション関係を搬送する第１のサブスクリプション情報を受信した後、前記第３の受信モジュールが属するＮＦに前記第２の相関識別を割り当てる、第３の受信モジュールと、
第２の送信モジュールであって、前記第２の送信モジュールは、更新サブスクリプションメッセージを前記第３のＮＦに送信するように構成され、前記更新サブスクリプションメッセージは、前記第２の相関識別を含む、第２の送信モジュールと
を備える、装置。
（項目１２）
コンピュータプログラムを記憶する記憶媒体であって、前記コンピュータプログラムが、実行されると、項目１−９のいずれか１項に記載の方法が、実施される、記憶媒体。
（項目１３）
メモリと、プロセッサとを備える、サブスクリプション情報を更新するためのデバイスであって、前記メモリは、コンピュータプログラムを記憶するように構成され、前記プロセッサは、前記コンピュータプログラムを実行し、項目１−９のいずれか１項に記載の方法を実施するように構成される、デバイス。
【国際調査報告】
2021513309.tif 000013
2021513309.tif 000014
2021513309.tif 000015
2021513309.tif 000016